(57)【要約】【課題】  簡便な手段により文字認識候補を効率よく表示することができる文字認識結果処理装置、文字認識結果処理方法等を提供する。【解決手段】  文字認識結果として、原文書に含まれる各文字について、（１）確定文字、および、（２）不確定文字についての少なくとも１つの候補文字、を峻別可能に表示する文字認識結果処理装置１１であって、前記文字認識結果を取得する文字認識結果取得手段１１１と、前記文字認識結果取得手段により取得された前記確定文字および前記候補文字を、マルチレイヤー画像の各レイヤーに割り当てる確定文字・候補文字割り当て手段１１２とを備える。【選択図】    図１
2006031163.tif 000002
【特許請求の範囲】
【請求項１】
文字認識結果として、原文書に含まれる各文字について、
（１）確定文字、および、
（２）不確定文字についての少なくとも１つの候補文字、
を峻別可能に表示する文字認識結果処理装置であって、
前記文字認識結果を取得する文字認識結果取得手段と、
前記文字認識結果取得手段により取得された前記確定文字および前記候補文字を、マルチレイヤー画像の各レイヤーに割り当てる確定文字・候補文字割り当て手段と、
を備えたことを特徴とする文字認識結果処理装置。
【請求項２】
前記確定文字・候補文字割り当て手段は、前記確定文字および少なくとも１つの前記候補文字を、優先順位に応じて各レイヤーに割り当てることを特徴とする請求項１に記載の文字認識結果処理装置。
【請求項３】
前記各レイヤーの表示濃度を、前記優先順位に応じて変更する表示濃度変更手段を備えたことを特徴とする請求項２に記載の文字認識結果処理装置。
【請求項４】
前記確定文字・候補文字割り当て手段は、前記確定文字および少なくとも１つの前記候補文字を、評価値に応じて各レイヤーに割り当てることを特徴とする請求項１または３に記載の文字認識結果処理装置。
【請求項５】
前記各レイヤーの表示濃度を、前記評価値に応じて変更する表示濃度変更手段を備えたことを特徴とする請求項４に記載の文字認識結果処理装置。
【請求項６】
文字認識結果として、原文書に含まれる各文字について、
（１）確定文字、および、
（２）不確定文字についての少なくとも１つの候補文字、
を峻別可能に表示する文字認識結果処理方法であって、
前記文字認識結果を取得する文字認識結果取得ステップと、
前記文字認識結果取得ステップにおいて取得された前記確定文字および前記候補文字を、マルチレイヤー画像の各レイヤーに割り当てる確定文字・候補文字割り当てステップと、
を備えたことを特徴とする文字認識結果処理方法。
【請求項７】
前記確定文字・候補文字割り当てステップにおいては、前記確定文字および少なくとも１つの前記候補文字を、優先順位に応じて各レイヤーに割り当てることを特徴とする請求項６に記載の文字認識結果処理方法。
【請求項８】
前記各レイヤーの表示濃度を、前記優先順位に応じて変更する表示濃度変更ステップを有することを特徴とする請求項７に記載の文字認識結果処理方法。
【請求項９】
前記確定文字・候補文字割り当てステップにおいては、前記確定文字および少なくとも１つの前記候補文字を、評価値に応じて各レイヤーに割り当てることを特徴とする請求項６に記載の文字認識結果処理方法。
【請求項１０】
前記各レイヤーの表示濃度を、前記評価値に応じて変更する表示濃度変更ステップを有することを特徴とする請求項９に記載の文字認識結果処理方法。
【請求項１１】
請求項６から１０の文字認識結果処理方法における各ステップをコンピュータにより実行するための文字認識結果処理プログラム。
【請求項１２】
請求項１１に記載の文字認識結果処理プログラムを格納したことを特徴とするコンピュータに読取り可能な記録媒体。
【発明の詳細な説明】
【技術分野】
【０００１】
本発明は、文字認識結果として、原文書に含まれる各文字について、確定文字や候補文字を、識別しやすいように表示できる文字認識結果処理装置、文字認識結果処理方法、文字認識結果処理プログラムおよびこのプログラムが格納された記録媒体に関する。
【背景技術】
【０００２】
従来、ＯＣＲ等の文字認識においては、認識結果をＯＣＲプログラムに付随して提供されるアプリケーションプログラムにより、ユーザに表示している。このアプリケーションプログラムには編集機能が付随しており、ユーザは、たとえばある文字についての候補が二以上あるときは、この編集機能を用いて正しい候補を選択することができる。
【０００３】
たとえば、特許文献１に記載の文書画像処理装置では、文書画像の入力，保存，分類，検索，閲覧や転送などの各種の文書画像処理を操作性良く、また、効率良く行なうことが可能である。
【特許文献１】特開平１０−２４７２３７
【発明の開示】
【発明が解決しようとする課題】
【０００４】
ところで、この種の文書画像処理装置に搭載される画像表示・編集等に用いるアプリケーションプログラムは、編集機能等を独自に開発等することにより製品化されるため、開発等に長期間要し、結果としてＯＣＲプログラム自体の価格も高価となってしまう。
【０００５】
本発明は、簡便な手段により文字認識候補を効率よく表示することができる文字認識結果処理装置、文字認識結果処理方法、文字認識結果処理プログラムおよびこのプログラムが格納された記録媒体を提供することを目的とする。
【課題を解決するための手段】
【０００６】
本発明の文字認識結果処理装置は、文字認識結果として、原文書に含まれる各文字について、
（１）確定文字、および、
（２）不確定文字についての少なくとも１つの候補文字、
を峻別可能に表示するものであって、
前記文字認識結果を取得する文字認識結果取得手段と、
前記文字認識結果取得手段により取得された前記確定文字および前記候補文字を、マルチレイヤー画像の各レイヤーに割り当てる確定文字・候補文字割り当て手段と、
を備えたことを特徴とする。
【０００７】
本発明の文字認識結果処理装置では、前記確定文字・候補文字割り当て手段は、前記確定文字および少なくとも１つの前記候補文字を、優先順位に応じて各レイヤーに割り当てることができる。
【０００８】
本発明の文字認識結果処理装置は、前記各レイヤーの表示濃度を、前記優先順位に応じて変更する表示濃度変更手段を備えることができる。
【０００９】
本発明の文字認識結果処理装置では、前記確定文字・候補文字割り当て手段は、前記確定文字および少なくとも１つの前記候補文字を、評価値に応じて各レイヤーに割り当てることができる。
【００１０】
本発明の文字認識結果処理装置は、前記各レイヤーの表示濃度を、前記評価値に応じて変更する表示濃度変更手段を備えることができる。
【００１１】
本発明の文字認識結果処理方法は、文字認識結果として、原文書に含まれる各文字について、
（１）確定文字、および、
（２）不確定文字についての少なくとも１つの候補文字、
を峻別可能に表示するものであって、
前記文字認識結果を取得する文字認識結果取得ステップと、
前記文字認識結果取得ステップにおいて取得された前記確定文字および前記候補文字を、マルチレイヤー画像の各レイヤーに割り当てる確定文字・候補文字割り当てステップと、
を備えたことを特徴とする。
【００１２】
本発明の文字認識結果処理方法の前記確定文字・候補文字割り当てステップにおいては、前記確定文字および少なくとも１つの前記候補文字を、優先順位に応じて各レイヤーに割り当てることができる。
【００１３】
本発明の文字認識結果処理方法は、前記各レイヤーの表示濃度を、前記優先順位に応じて変更する表示濃度変更ステップを有することができる。
【００１４】
本発明の文字認識結果処理方法の前記確定文字・候補文字割り当てステップにおいては、前記確定文字および少なくとも１つの前記候補文字を、評価値に応じて各レイヤーに割り当てることができる。
【００１５】
本発明の文字認識結果処理方法は、前記各レイヤーの表示濃度を、前記評価値に応じて変更する表示濃度変更ステップを有することができる。
【００１６】
本発明の文字認識結果処理プログラムは上記各ステップをコンピュータにより実行することができ、このプログラムはコンピュータに読取り可能な記録媒体に格納できる。
【発明の効果】
【００１７】
本発明によれいば、簡便な手段により文字認識候補を効率よく表示することができる。また、汎用のマルチレイヤ―構造の画像フォーマットを利用することができので、エディタ等の開発に要する費用を削減することができ、ＯＣＲ自体の価格を下げることができる。
【発明を実施するための最良の形態】
【００１８】
図１は本発明の一実施形態を示す説明図である。図１において、文字認識結果処理装置１は、図２に示すように、文字認識結果（認識画像をＲＧで示す）として、原文書ＯＧに含まれる各文字について、（１）確定文字、および、（２）不確定文字についての少なくとも１つの候補文字を峻別可能に表示するものであり、文字認識結果取得手段１１１と、確定文字・候補文字割り当て手段１１２と、表示濃度変更手段１１３と、ディスプレイ１１４とを備えている。
【００１９】
文字認識結果取得手段１１１は、ＯＣＲアプリケーションから文字認識結果を取得することができる。
【００２０】
確定文字・候補文字割り当て手段１１２は、文字認識結果取得手段１１１により取得された確定文字および候補文字を、マルチレイヤー画像の各レイヤーに割り当てることができる。確定文字・候補文字割り当て手段１１２は、確定文字および候補文字を、図３に示すように優先順位Ｐに応じて各レイヤーに割り当てることができ、表示濃度変更手段１１３は、各レイヤーの表示濃度を、優先順位Ｐに応じて変更することができる。
【００２１】
また、確定文字・候補文字割り当て手段１１２は、確定文字および候補文字を、後述する図７に示すように評価値に応じて各レイヤーに割り当てることができ、表示濃度変更手段１１３は、各レイヤーの表示濃度を、前記評価値に応じて変更することができる。
【００２２】
ディスプレイ１１４には、マルチレイヤー画像が表示できる。
【００２３】
〔表１〕は、文字認識結果の一例を示すもので、左欄に「正解文字」が、中欄に「第１候補およびその評価値」が、右欄に「第１候補およびその評価値」が起算されている。
【００２４】
【表１】
2006031163.tif 000003
【００２５】
文字の表示については、原画像ＯＧにできる限り忠実に再現してもよいし、原画像のレイアウトを無視して、出力媒体に応じて改行等の変形を施してもよい。図３では、文字の表示位置には、第１候補の各文字コードと表示する位置の情報が保存される。〔表１〕および図３に示すように、原画像中では、「・・・認識結果は・・・」が「・・・認謝結果は・・・」のように誤った文字認識がされた場合を示している。
【００２６】
ところで、〔表１〕に示すように、文字認識装置で達成できる認識率が１００％となることはまれであるので、通常は第１候補のみを表示する場合、誤認識文字がいくつか存在する。
【００２７】
そこで、本実施形態においては、図３に示すように、レイヤーＬ１として第１候補の文字コード（図では、説明の便宜上、文字自体で表してある）を保持するとともに、レイヤーＬ２として、第２候補の文字コードを保持し、これらのレイヤーによりマルチレイヤーＭＬＧ画像を構成する。図４に、レイヤーＬ２上の第２候補の文字コード（図では、説明の便宜上、文字自体で表してある）の概念を示す。
【００２８】
レイヤーの実装方法としては、レイヤーごとに文字コードファイルを作成してもよいが、図３にも示したように第１候補と同じ座標を指定して異なる文字コードを保存してもよい。
【００２９】
図５では、第２候補のレイヤーＬ２について、濃度を薄くして（たとえば、７０％等：ただし、図５では理解を容易にするために、３０％程度で表してある）、第１候補のレイヤーに重ねて表示する（図では第２候補を第１候補の背面側に表示してある）。第２候補が存在する文字については、文字が重なって表示されるが、文脈などから人間は正しい結果を推測することが可能となるので、誤認識の影響を小さくすることができる。なお、この濃度を変えた表示方法とともに、または別個にフォントタイプやフォントサイズを変更するようにしてもよい。
【００３０】
本実施形態では、第２候補までが存在する場合について説明したが、第３候補以降が存在する場合においても同様にレイヤーを３枚以上用意することで実現できる。その際、各レイヤーの表示濃度は候補順位に応じて変更することで、より上位の候補が見やすくなる。たとえば、第１候補は１００％、第２候補は７０％、第３候補は４０％等とすることができる。
【００３１】
第２実施形態でも第１実施形態と同様の認識結果について説明する。第１実施形態では候補順位によりレイヤー分けした。第２実施形態では、評価値によりレイヤーを分ける。〔表１〕の認識結果では、評価値１００％，８０％，３０％の認識結果が存在するので、図６に示すように、３つのレイヤーＬ１，Ｌ２，Ｌ３を用意し、それぞれのレイヤーＬ１，Ｌ２，Ｌ３について、評価値に応じた濃度を用いて重ね合わせた結果を図７に示す。
【００３２】
図８は本発明の文字認識結果処理装置のハードウェアブロック図である。図８では、文字認識処理装置２（図１の文字認識処理装置１と同じもの）は、ＣＰＵ２１と、ＲＯＭ２２と、ＲＡＭ２３とを備えており、ＲＯＭ２２またはＲＡＭ２３には、下記のステップを実行するプログラムが格納されており、このプログラムを実行することで文字認識結果処理方法を実施することができる。
【００３３】
文字認識結果取得ステップ：文字認識結果を取得する。
【００３４】
確定文字・候補文字割り当てステップ：前記文字認識結果取得ステップにおいて取得された前記確定文字および前記候補文字を、マルチレイヤー画像の各レイヤーに割り当てる。
このステップにおいては、前記確定文字および少なくとも１つの前記候補文字を、優先順位に応じて各レイヤーに割り当てることができ、この場合、各レイヤーの表示濃度を、前記優先順位に応じて変更することができる。また、このステップにおいては、前記確定文字および少なくとも１つの前記候補文字を、評価値に応じて各レイヤーに割り当てることができ、この場合には各レイヤーの表示濃度を、前記評価値に応じて変更することができる。
【図面の簡単な説明】
【００３５】
【図１】本発明の一実施形態を示す文字認識結果処理装置の説明図である。
【図２】原画像を示す図である。
【図３】２つのレイヤーに、優先順位に応じて候補文字が割り当てられたマルチレイヤーを示す図である。
【図４】レイヤー上の第２候補の文字の概念を示す図である。
【図５】第２候補のレイヤーについて濃度を薄くして表示した場合を示す図である。
【図６】評価値に応じた３つのレイヤーを用いて候補文字を表示する例を示すずである。
【図７】３つのレイヤーに、評価値に応じて候補文字が割り当てられたマルチレイヤーを示す図である。
【図８】本発明の文字認識結果処理装置のハードウェアブロック図である。
【符号の説明】
【００３６】
１，２  文字認識結果処理装置
１１１  文字認識結果取得手段
１１２  確定文字・候補文字割り当て手段
１１３  表示濃度変更手段
２１  ＣＰＵ
２２  ＲＯＭ
２３  ＲＡＭ
【図１】
2006031163.tif 000004
【図２】
2006031163.tif 000005
【図３】
2006031163.tif 000006
【図４】
2006031163.tif 000007
【図５】
2006031163.tif 000008
【図６】
2006031163.tif 000009
【図７】
2006031163.tif 000010
【図８】
2006031163.tif 000011